(57)【要約】  【課題】取り扱い対象にしたい貨幣の種別を正確に設定して、所望の運用を行うことが可能な貨幣取引装置を提供する。  【解決手段】紙幣入出金機での紙幣種別の設定処理において、入金の取り扱い対象にしたい紙幣が投入されると、当該紙幣を識別部に搬送する。搬送後、識別部によって紙幣を読み取って、紙幣の金種、世代、および発行銀行といった種別情報を取得し、当該種別情報を記憶部に記憶する。そして、その後行われる入金取引処理において、投入された紙幣から識別部によって取得した紙幣の種別情報と、記憶部に記憶している紙幣の種別情報とを比較して、一致しているか否かを判定する。当該判定の結果、紙幣の種別情報が一致していれば、投入された紙幣を内部に備えたカートリッジに収納して入金し、一致していなければ、投入された紙幣を返却口に返却して入金を禁止する。【選択図】  図４
2005258737.tif 000002
【特許請求の範囲】
【請求項１】
貨幣の入金または出金の取引を行う貨幣取引装置において、
投入された貨幣を読み込んで当該貨幣が正常であるか否かを識別するとともに、当該貨幣の種類を区別する種別情報を取得する識別手段と、
前記識別手段によって取得した貨幣の種別情報を記憶するための記憶手段と、
取り扱い対象となる貨幣の種別を設定する設定処理と、貨幣の取引を行う取引処理とを実行する制御手段と、を備え、
前記制御手段は、
前記設定処理において、投入された貨幣から前記識別手段によって取得した貨幣の種別情報を前記記憶手段に記憶し、
前記取引処理において、投入された貨幣から前記識別手段によって取得した貨幣の種別情報と、前記記憶手段に記憶された貨幣の種別情報とを比較して一致しているか否かを判定し、当該判定結果に基づいて投入された貨幣に対して所定の取り扱いを行うことを特徴とする貨幣取引装置。
【請求項２】
請求項１に記載の貨幣取引装置において、
前記制御手段は、前記識別手段によって取得した貨幣の種別情報の中から、貨幣の金種、貨幣を発行した世代、および貨幣の発行元の少なくとも１つの情報を、前記設定処理で前記記憶手段に記憶し、前記取引処理で前記記憶手段に記憶された貨幣の種別情報と比較して一致の有無を判定することを特徴とする貨幣取引装置。
【請求項３】
請求項１または請求項２に記載の貨幣取引装置において、
前記制御手段は、前記取引処理において、貨幣の種別情報が一致していると判定した場合に、投入された貨幣を内部に収納し、一致していないと判定した場合に、投入された貨幣を返却することを特徴とする貨幣取引装置。
【請求項４】
請求項１または請求項２に記載の貨幣取引装置において、
前記制御手段は、前記取引処理において、貨幣の種別情報が一致していると判定した場合に、投入された貨幣をその後出金できるように内部に収納し、一致していないと判定した場合に、投入された貨幣をその後出金できないように内部に回収することを特徴とする貨幣取引装置。
【請求項５】
貨幣の入金または出金の取引を行う貨幣取引装置において、
投入された貨幣を読み込んで当該貨幣が正常であるか否かを識別するとともに、当該貨幣の種類を区別する種別情報を取得する識別手段と、
前記識別手段によって取得した貨幣の種別情報を記憶するための記憶手段と、
前記識別手段によって取得した貨幣の種別情報の中から、貨幣の金種、貨幣を発行した世代、および貨幣の発行元の少なくとも１つの情報を特定する特定手段と、
貨幣の取り扱い方を設定する設定手段と、
取り扱い対象となる貨幣の種別を設定する設定処理と、貨幣の取引を行う取引処理とを実行する制御手段と、を備え、
前記制御手段は、
前記設定処理において、投入された貨幣から前記識別手段によって取得して前記特定手段によって特定された貨幣の種別情報を、前記設定手段によって設定された貨幣の取り扱い方と関連付けて前記記憶手段に記憶し、
前記取引処理において、投入された貨幣から前記識別手段によって取得して前記特定手段によって特定された貨幣の種別情報と、前記記憶手段に記憶された貨幣の種別情報とを比較して一致しているか否かを判定し、一致していると判定した場合に、貨幣の種別情報に関連付けられた貨幣の取り扱い方で投入された貨幣を取り扱うことを特徴とする貨幣取引装置。
【発明の詳細な説明】
【技術分野】
【０００１】
本発明は、例えば紙幣入出金機のような貨幣取引装置に関し、特に取り扱う貨幣の種別の設定に関するものである。
【背景技術】
【０００２】
貨幣を入金しまたは出金するといった取引を行う貨幣取引装置の一例として、金融機関の窓口で係員が使用する紙幣入出金機や、金融機関のＡＴＭコーナーで顧客が利用する自動現金取引装置がある。例えば、紙幣入出金機は、係員が顧客から預かった紙幣を入金する場合、紙幣が紙幣入出金機に投入されると、紙幣入出金機の内部に備わる識別部によって紙幣の真偽判定のような複数の判定項目に基づいて紙幣が正常であるか異常であるかを識別する。そして、例えば偽紙幣であると判定するように、複数の判定項目の少なくとも１つを満足しなかったことにより投入された紙幣が異常であると識別すると、当該紙幣を返却して入金を拒否する。一方、例えば真紙幣であると判定するように、複数の判定項目の全てを満足したことにより投入された紙幣が正常であると識別すると、当該紙幣が入金してもよい紙幣であるか否かを判定する。ここで、投入された紙幣の種別が予め設定された入金対象の紙幣の種別と同一であれば、投入された紙幣は入金してもよい紙幣であると判定し、当該紙幣を紙幣入出金機の内部に備わるカートリッジに収納して入金する。これに対して、投入された紙幣の種別が入金対象の紙幣の種別と異なれば、投入された紙幣は入金してはいけない紙幣であると判定し、当該紙幣を返却して入金を禁止する。なお、紙幣の種別とは、紙幣の種類を区別するための項目のことであって、例えば紙幣の金種、紙幣が発行された世代、紙幣の発行元等がある。
【０００３】
紙幣入出金機等では、新札が発行され、旧札の流通量が減少してくると、それまで許可していた旧札の入金を禁止して、新札の入金を許可するというように、紙幣の流通度合いによって運用が変更されることがある。特に、海外においては、新札の発行が多いため、運用が頻繁に変更がされる。また、紙幣入出金機等では、国内の店舗に設置される場合は自国紙幣のみ入金を許可し、海外の店舗に設置される場合は自国紙幣と他国紙幣の両方の入金を許可するというように、設置される地域によって運用が個別に設定されることがある。また、紙幣入出金機等では、偽造の疑いのある特定金種の紙幣の入金を禁止するというように、犯罪対応のために運用が一時的に変更されることがある。さらに、ショッピングセンタやコンビニエンスストア等に設置される流通業界向けの自動現金取引装置等では、金融機関のように紙幣を頻繁に補充できないため、使用頻度の高い金種の紙幣の入金を許可して、使用頻度の低い金種の紙幣の入金を禁止するというように、使用される業界によって運用が個別に設定されることがある。
【０００４】
上記のように種々の事情に応じて紙幣入出金機等の運用を変更・設定するには、その都度入金等の取り扱いの対象にしたい紙幣の種別を設定する必要がある。そのために、従来の紙幣入出金機等では、保守員や係員が紙幣入出金機等に接続したパーソナルコンピュータを介して取り扱い対象にしたい紙幣の種別を手入力により設定していた。また、下記の特許文献１〜３に記載されているような高機能な操作部を備えた現金自動取引装置では、保守員や係員が操作部を操作することにより、複数のカートリッジのそれぞれに収納する対象となる紙幣の金種を手入力により設定していた。しかし、上記のように紙幣の種別を手入力により設定すると、取り扱い対象にしたい紙幣の数が多い場合や、各紙幣の入力する種別の項目数が多い（金種以外にも幾つかある）場合や、複数台の紙幣入出金機等に対して異なる紙幣の種別を設定する場合等には、入力作業が煩雑かつ複雑になるので、入力ミスにより設定を誤ってしまい、紙幣入出金機等の運用を所望の運用に変更・設定できないことがあった。
【０００５】
一方、下記の特許文献４には、紙幣を金種別に計数および選別するために、内部に取り込んだ紙幣から当該紙幣の金種を検出して、検出した金種を基準金種としてＲＡＭに記憶する紙幣計数機に関する技術が記載されている。しかし、特許文献４の技術は、紙幣の計数の基準となる金種を一時的に記憶しておくだけで、記憶した基準金種に基づいて紙幣の入金等の取り扱いを許可または禁止するものではない。つまり、入金等の取り扱い対象にしたい紙幣の種別を設定することはできない。
【０００６】
【特許文献１】特開２０００−２０７８３号公報（第９−１０頁、図１４、図１５）
【特許文献２】特許第２６８６５７６号公報（第３−４頁、図５、図８）
【特許文献３】特許第２８３４９４６号公報（第９頁、図９、図１０）
【特許文献４】特開２００１−２６６２２７号公報（第７−１２頁）
【発明の開示】
【発明が解決しようとする課題】
【０００７】
本発明は、上記問題点を解決するものであって、その課題とするところは、取り扱い対象にしたい貨幣の種別を正確に設定して、所望の運用を行うことが可能な貨幣取引装置を提供することにある。
【課題を解決するための手段】
【０００８】
本発明では、貨幣の入金または出金の取引を行う貨幣取引装置において、投入された貨幣を読み込んで当該貨幣が正常であるか否かを識別するとともに、当該貨幣の種類を区別する種別情報を取得する識別手段と、識別手段によって取得した貨幣の種別情報を記憶するための記憶手段と、取り扱い対象となる貨幣の種別を設定する設定処理および貨幣の取引を行う取引処理を実行する制御手段とを設ける。このような構成で、制御手段は、設定処理において、投入された貨幣から識別手段によって取得した貨幣の種別情報を記憶手段に記憶し、取引処理において、投入された貨幣から識別手段によって取得した貨幣の種別情報と、記憶手段に記憶された貨幣の種別情報とを比較して一致しているか否かを判定し、当該判定結果に基づいて投入された貨幣に対して所定の取り扱いを行う。
【０００９】
上記のようにすることで、設定処理において、取り扱い対象にしたい貨幣を貨幣取引装置に投入すると、当該貨幣の種別情報が自動的に識別手段により取得されて記憶手段に記憶されるので、取り扱い対象にしたい貨幣の数が多い場合や、各貨幣の種別情報が多い場合や、複数台の貨幣取引装置で異なる貨幣の種別を設定する場合等であっても、取り扱い対象にしたい貨幣の種別を正確に設定することができる。また、取引処理において、投入された貨幣の種別情報と、記憶手段に記憶されている取り扱い対象の貨幣の種別情報とが一致しているか否かの判定結果に基づいて、投入された貨幣に対して所定の取り扱いを行うので、投入された貨幣に対して所定の取り扱いを許可または禁止することができ、貨幣取引装置で所望の運用を行うことが可能となる。
【００１０】
また、本発明の実施形態に係る貨幣取引装置では、制御手段は、識別手段によって取得した貨幣の種別情報の中から、貨幣の金種、貨幣を発行した世代、および貨幣の発行元の少なくとも１つの情報を特定し、当該特定した貨幣の種別情報を、設定処理で記憶手段に記憶し、取引処理で記憶手段に記憶された貨幣の種別情報と比較して一致の有無を判定する。このようにすることで、設定処理において、取り扱い対象にしたい貨幣の金種、世代、および発行元の少なくとも１つの種別を正確に設定することができ、取引処理において、投入された貨幣のうち、設定した貨幣の種別と同一の種別の貨幣に対して所定の取り扱いを行うことができる。
【００１１】
また、本発明の実施形態に係る貨幣取引装置では、制御手段は、取引処理において、貨幣の種別情報が一致していると判定した場合に、投入された貨幣を内部に収納し、一致していないと判定した場合に、投入された貨幣を返却する。このようにすることで、取引処理において、投入された貨幣のうち、設定した貨幣の種別と同一の種別の貨幣の入金を許可し、設定した貨幣の種別と異なる種別の貨幣の入金を禁止することができる。
【００１２】
また、本発明の他の実施形態に係る貨幣取引装置では、制御手段は、取引処理において、貨幣の種別情報が一致していると判定した場合に、投入された貨幣をその後出金できるように内部に収納し、一致していないと判定した場合に、投入された貨幣をその後出金できないように内部に回収する。このようにすることで、取引処理において、投入された貨幣のうち、設定した貨幣の種別と同一の種別の貨幣をその後の取引で出金できるように、即ち当該貨幣を再利用できるようにすることが可能となり、設定した貨幣の種別と異なる種別の貨幣をその後の取引で出金できないように、即ち当該貨幣を再利用できないようにすることが可能となる。
【００１３】
さらに、本発明の他の実施形態に係る貨幣取引装置では、投入された貨幣を読み込んで当該貨幣が正常であるか否かを識別するとともに、当該貨幣の種類を区別する種別情報を取得する識別手段と、識別手段によって取得した貨幣の種別情報を記憶するための記憶手段と、識別手段によって取得した貨幣の種別情報の中から、貨幣の金種、貨幣を発行した世代、および貨幣の発行元の少なくとも１つの情報を特定する特定手段と、貨幣の取り扱い方を設定する設定手段と、取り扱い対象となる貨幣の種別を設定する設定処理と、貨幣の取引を行う取引処理とを実行する制御手段とを設けている。このような構成で、制御手段は、設定処理において、投入された貨幣から識別手段によって取得して特定手段によって特定された貨幣の種別情報を、設定手段によって設定された貨幣の取り扱い方と関連付けて記憶手段に記憶し、取引処理において、投入された貨幣から識別手段によって取得して特定手段によって特定された貨幣の種別情報と、記憶手段に記憶された貨幣の種別情報とを比較して一致しているか否かを判定し、一致していると判定した場合に、貨幣の種別情報に関連付けられた貨幣の取り扱い方で投入された貨幣を取り扱う。
【００１４】
上記のようにすることで、設定処理において、取り扱い対象にしたい貨幣を貨幣取引装置に投入すると、当該貨幣の金種、世代、および発行元の少なくとも１つの種別情報が、設定された取り扱い方と関連付けられて自動的に記憶手段に記憶されるので、所望の取り扱いを行いたい貨幣の種別を正確に設定することができる。また、取引処理において、投入された貨幣の種別情報と、記憶手段に記憶されている貨幣の種別情報とが一致している場合に、関連付けられた取り扱い方で投入された貨幣を取り扱うので、投入された貨幣のうち、設定した貨幣の種別と同一の種別の貨幣に対して所定の取り扱いを許可または禁止することができ、貨幣取引装置で所望の運用を行うことが可能となる。
【発明の効果】
【００１５】
本発明によれば、設定処理において、取り扱い対象にしたい貨幣を投入すると、当該貨幣の種別情報が自動的に識別手段により取得されて記憶手段に記憶されるので、取り扱い対象にしたい貨幣の種別を正確に設定することができる。また、取引処理において、投入された貨幣の種別情報と、記憶手段に記憶された貨幣の種別情報とが一致しているか否かの判定結果に基づいて、投入された貨幣に対して所定の取り扱いを行うので、貨幣取引装置で所望の運用を行うことが可能となる。
【発明を実施するための最良の形態】
【００１６】
図１Ａ〜図１Ｄは、本発明に係る貨幣取引装置の一例である紙幣入出金機１の内部構造を示す図である。図１Ａ（ａ）において、紙幣入出金機１は、金融機関の係員窓口に設置され、係員によって投入される紙幣２を内部に収納して入金する機能と、内部に収納している紙幣２を指示された金種や枚数に基づいて取り出して出金する機能とを備えている。３は紙幣入出金機１の本体、４は入金する紙幣２が投入される入金口、５は投入された紙幣２を返却する返却口、６は出金する紙幣２を放出する出金口である。６ａは出金口６に開閉可能に設けられたシャッタである。７は入出金する紙幣２を読み取る識別部である。この識別部７は、紙幣２が正常であるか異常であるかを複数の判定項目に基づいて識別する。複数の判定項目としては、例えば、真偽判定や金種判定等がある。また、識別部７は、紙幣２の種類を区別する種別情報を紙幣２から取得する。紙幣２の種別情報としては、例えば紙幣２の金種、紙幣２が発行された世代、紙幣２の発行銀行（発行元）等がある。識別部７は、本発明における識別手段の一実施形態を構成する。８は紙幣２の表裏を反転させる表裏反転部、９は紙幣２に対する処理が確定するまで紙幣２を一時的に保留する一時保留部である。
【００１７】
１０は本体３の上面に設けられた操作部である。この操作部１０の詳細を図２に示す。図２において、１１はキー挿入部である。このキー挿入部１１には、紙幣入出金機１に対して各種の保守作業を行うときに、図示しない設定キーが挿入される。１２は紙幣入出金機１に動作を開始させるための開始ボタン、１３は紙幣入出金機１に動作を停止させるための停止ボタン、１４は紙幣２の入金を指示するための入金指示ボタン、１５は紙幣２の出金を指示するための出金指示ボタン、１６は紙幣入出金機１の状態をリセットするためのリセットボタンである。１７は入出金する紙幣２の金額や紙幣入出金機１の動作状態等を表示する表示部である。上記以外にも操作部１０には、図示しないテンキーや電源スイッチ等が設けられている。
【００１８】
図１Ａ（ａ）に示す２０は紙幣２を回収する回収カートリッジである。この回収カートリッジ２０に回収された紙幣２は、取り出されて出金口６に出金されることはない。２１〜２３は紙幣２を金種別に収納する第１〜第３カートリッジである。例えば日本国では、第１カートリッジ２１には千円札、第２カートリッジ２２には五千円札、第３カートリッジ２３には一万円札を収納する。２４は運用カートリッジである。この運用カートリッジ２４には、第１〜第３カートリッジ２１〜２３に対応しない金種の紙幣２が収納されたり、紙幣入出金機１に補充する紙幣２が装填されたりする。なお、第１〜第３カートリッジ２１〜２３に対応しない金種とは、例えば二千円札等である。２５〜２７は紙幣２を搬送する搬送ラインであって、図示しない通路やローラ等から構成されている。上部にある搬送ライン２５は、入金口４から識別部７を通って、返却口５と出金口６へとそれぞれ連通している。左部にある搬送ライン２６は、搬送ライン２５の途中で分岐して表裏反転部８と一時保留部９へとそれぞれ連通し、再び搬送ライン２５に接続している。下部にある搬送ライン２７は、識別部７から各カートリッジ２０〜２４へと連通している。
【００１９】
上記構成の紙幣入出金機１において、紙幣２を入金する場合は、係員が入金口４に紙幣２を投入して、操作部１０の開始ボタン１２を押すと、紙幣２が入金口４から一枚繰り出されて、図１Ａ（ａ）に太い実線で示すように搬送ライン２５を通って識別部７へ搬送される。そして、識別部７によって紙幣２が読み取られて、複数の判定項目に基づいて紙幣２が正常であるか異常であるかが識別される。ここで、例えば真紙幣であると判定される等のように、複数の判定項目の全てを満足したことにより紙幣２が正常であると識別されると、紙幣２の金額が計数されるとともに、紙幣２が搬送ライン２５と搬送ライン２６を通って一時保留部９へ搬送されて、ここで一時的に保留される。このとき、表裏が逆になっている紙幣２は、一旦表裏反転部８へ搬送されて、ここで表裏が反転された後に一時保留部９へ搬送される。一方、複数の判定項目の少なくとも１つを満足しなかったことにより紙幣２が異常であると識別されると、紙幣２は、図１Ａ（ａ）に太い破線で示すように搬送ライン２５を通って返却口５へ返却される。このとき異常であると識別された紙幣２としては、例えば真紙幣であると判定されなかった偽紙幣や、真紙幣であるにも拘らず流通過程での傷みにより識別部７で読み取れなかった読み取り不能紙幣や、搬送ライン２５を正常に搬送されなかった搬送不良紙幣等がある。なお、返却口５へ返却された紙幣２は、常時取り出しが可能になっている。この後、次の紙幣２が入金口４から一枚繰り出されて識別部７へ搬送され、識別部７での識別結果に応じて一時保留部９または返却口５へ搬送される。
【００２０】
その後、入金口４の紙幣２が全て搬送されると、一時保留部９に集積されている紙幣２の総金額が操作部１０の表示部１７に表示される。ここで、係員が入金指示ボタン１４を押すと、紙幣２が一時保留部９から一枚繰り出されて、図１Ａ（ｂ）に太い実線で示すように搬送ライン２５を通って識別部７へ搬送される。そして、識別部７によって再度紙幣２が読み取られた後、紙幣２は、後述するように搬送ライン２７を通って金種の対応するカートリッジ２１〜２４に搬送されて収納される。または、紙幣２は、後述するように搬送ライン２５を通って返却口５に返却される。このとき、カートリッジ２１〜２３に対応していない金種の紙幣２（例えば、二千円札）は、運用カートリッジ２４に搬送されて収納される。また、紙幣２が、破損紙幣や読み取り不能紙幣や搬送不良紙幣等であった場合は、図１Ａ（ｂ）に太い破線で示すように回収カートリッジ２０に搬送されて回収される。なお、このように紙幣２が回収されるのは、極めて稀なケースである。この後は、次の紙幣２が一時保留部９から一枚繰り出されて識別部７へ搬送され、識別部７によって読み取られた後にカートリッジ２０〜２４または返却口５へ搬送される。このようにして、一時保留部９の紙幣２が全て搬送されると、紙幣２の入金が完了する。
【００２１】
また、紙幣入出金機１から紙幣２を出金する場合は、係員が操作部１０の図示しないテンキーにより出金する金額と紙幣２の金種を指定して、出金指示ボタン１５を押すと、紙幣２が指定された金種に対応するカートリッジ２１〜２４から一枚繰り出されて、図１Ｂに太い実線で示すように搬送ライン２７を通って識別部７へ搬送される。そして、識別部７によって紙幣２が読み取られて、複数の判定項目に基づいて紙幣２が正常であるか異常であるかが識別される。ここで、複数の判定項目の全てを満足したことにより紙幣２が正常であると識別されると、紙幣２は、図１Ｂに太い実線で示すように搬送ライン２５を通って出金口６へ搬送される。一方、複数の判定項目の少なくとも１つを満足しなかったことにより紙幣２が異常であると識別されると、紙幣２は入金されることなく、図１Ｂに太い破線で示すように搬送ライン２７を通って回収カートリッジ２０へ搬送されて回収される。このとき異常であると識別された紙幣２としては、例えば紙幣２の金種が指定された金種と一致していないと判定された金種不一致の紙幣や、読み取り不能紙幣や、搬送不良紙幣等がある。この後、次の紙幣２がカートリッジ２１〜２４から繰り出されて識別部７へ搬送され、識別部７での識別結果に応じて出金口６または回収カートリッジ２０へ搬送される。このようにして、指定された金額の紙幣２が全て出金口６に搬送されると、出金口６のシャッタ６ａが開いて、紙幣２が取り出し可能な状態となる。そして、出金口６から紙幣２が取り出されると、シャッタ６ａが閉じて、紙幣２の出金が完了する。
【００２２】
さらに、カートリッジ２１〜２３内に紙幣２が無い状態で、紙幣２を補充する場合は、係員が補充用の紙幣２を運用カートリッジ２４内に装填して、当該カートリッジ２４を紙幣入出金機１にセットする。そして、係員が操作部１０のキー挿入部１１に図示しない設定キーを挿入して、開始ボタン１２を押すと、紙幣２が運用カートリッジ２４から一枚繰り出されて、図１Ｃ（ａ）に太い実線で示すように搬送ライン２７を通って識別部７へ搬送される。そして、識別部７によって紙幣２が読み取られて、複数の判定項目に基づいて紙幣２が正常であるか異常であるかが識別される。ここで、複数の判定項目の少なくとも１つを満足しなかったことにより紙幣２が異常であると識別されると、紙幣２は、図１Ｃ（ａ）に太い破線で示すように搬送ライン２５を通って出金口６へ搬送される。このとき異常であると識別された紙幣２としては、例えば、破損紙幣や、読み取り不能紙幣や、搬送不良紙幣等がある。一方、複数の判定項目の全てを満足したことにより紙幣２が正常であると識別されると、紙幣２がカートリッジ２１〜２３に対応する金種の紙幣（例えば、千円札、五千円札、一万円札）である場合は、紙幣２は搬送ライン２７を通って金種の対応するカートリッジ２１〜２３に搬送されて収納される。これに対して、紙幣２がカートリッジ２１〜２３に対応しない金種の紙幣（例えば、二千円札）である場合は、一旦紙幣２は、搬送ライン２６を通って一時保留部９へ搬送されて保留される。この後、次の紙幣２が運用カートリッジ２４から繰り出されて識別部７へ搬送され、識別部７での識別結果に応じて出金口６、カートリッジ２１〜２３、または一時保留部９へ搬送される。
【００２３】
その後、運用カートリッジ２４内の紙幣２が全て搬送されると、一時保留部９に集積されている紙幣２が一枚繰り出されて、図１Ｃ（ｂ）に太い実線で示すように搬送ライン２５を通って識別部７へ搬送される。そして、識別部７によって再度紙幣２が読み取られた後、紙幣２は搬送ライン２７を通って運用カートリッジ２４に戻される。このとき、紙幣２が、破損紙幣や読み取り不能紙幣や搬送不良紙幣等であった場合は、図１Ｃ（ｂ）に太い破線で示すように回収カートリッジ２０に搬送されて回収される。なお、このように紙幣２が回収されるのは、極めて稀なケースである。この後、次の紙幣２が一時保留部９から繰り出されて識別部７へ搬送され、運用カートリッジ２４または回収カートリッジ２０へ搬送される。このようにして、補充用の紙幣２が全て処理されると、紙幣２の補充が完了する。なおこのとき、出金口６に紙幣２が有る場合は、出金口６のシャッタ６ａが開いて、紙幣２が取り出し可能な状態となり、出金口６から紙幣２が取り出されると、シャッタ６ａが閉じる。
【００２４】
また上記に対して、紙幣２を補充する場合に、係員が補充用の紙幣２を入金口４に投入した後、操作部１０のキー挿入部１１に設定キーを挿入して、開始ボタン１２を押したときは、紙幣２が入金口４から一枚繰り出されて、図１Ｄ（ａ）に太い実線で示すように搬送ライン２５を通って識別部７へ搬送される。そして、識別部７によって紙幣２が読み取られて、複数の判定項目に基づいて紙幣２が正常であるか異常であるかが識別される。ここで、紙幣２が異常であると識別されると、紙幣２は、図１Ｄ（ａ）に太い破線で示すように搬送ライン２５を通って返却口５へ返却される。このとき異常であると識別された紙幣２としては、例えば、破損紙幣や、読み取り不能紙幣や、搬送不良紙幣等がある。一方、紙幣２が正常であると識別されると、紙幣２は、搬送ライン２５と搬送ライン２６を通って一時保留部９へ搬送されて、ここで一時的に保留される。この後、次の紙幣２が入金口４から一枚繰り出されて識別部７へ搬送され、識別部７での識別結果に応じて返却口５または一時保留部９へ搬送される。そして、入金口４の紙幣２が全て搬送されると、一時保留部９に集積されている紙幣２が一枚繰り出されて、図１Ｄ（ｂ）に太い実線で示すように搬送ライン２５を通って識別部７へ搬送される。そして、識別部７によって再度紙幣２が読み取られた後、紙幣２が搬送ライン２７を通って金種の対応するカートリッジ２１〜２４に搬送されて収納される。このとき、紙幣２が、破損紙幣や読み取り不能紙幣や搬送不良紙幣等であった場合は、図１Ｄ（ｂ）に太い破線で示すように回収カートリッジ２０に搬送されて回収される。なお、このように紙幣２が回収されるのは、極めて稀なケースである。上記のようにして、補充用の紙幣２が全て処理されると、紙幣２の補充が完了する。
【００２５】
図３は、紙幣入出金機１の電気的構成を示したブロック図である。図３において、３０は紙幣入出金機１の各部を制御する制御部であって、ＣＰＵとＲＯＭとＲＡＭ等から構成されている。この制御部３０は、後述するように紙幣入出金機１で取り扱う対象となる紙幣２の種別を設定する設定処理と、紙幣２の取引を行う取引処理とをそれぞれ実行する。制御部３０は、本発明における制御手段の一実施形態を構成する。制御部３０のＲＯＭには、ＣＰＵの動作プログラム等が記録されていて、ＲＡＭには、ＣＰＵの制御データが読み書き可能に記録される。３１は不揮発性メモリから構成されている記憶部である。この記憶部３１には、後述するように取り扱う対象の紙幣２の種別情報が制御部３０によって記憶される。記憶部３１は、本発明における記憶手段の一実施形態を構成する。７は前述の識別部、１０は前述の操作部である。３２はフォトセンサ等から構成されている紙幣検知センサである。この紙幣検知センサ３２は、前述の入金口４、返却口５、出金口６、一時保留部９、およびカートリッジ２０〜２４等に設置されていて、各部での紙幣２の有無を検知する。３３は前述のシャッタ６ａを開閉するための駆動源であるソレノイド、３４は前述の搬送ライン２５〜２７をそれぞれ駆動するための駆動源であるモータである。
【００２６】
図４〜図７は、本発明の第１実施形態を示す図である。図４は、紙幣入出金機１で入金の取り扱い対象となる紙幣２の種別を設定する設定処理の手順を示すフローチャートである。本手順は、前述の制御部３０が実行する。係員によって入金の取り扱い対象にしたい紙幣２が入金口４に投入された後、操作部１０のキー挿入部１１に設定キーが挿入された状態で、開始ボタン１２が押されると（ステップＳ１：ＹＥＳ）、制御部３０は、入金口４に紙幣２が有るか否かを確認する（ステップＳ２）。そして、紙幣２が有ることを確認すると（ステップＳ２：ＹＥＳ）、制御部３０は、入金口４から紙幣２を一枚繰り出して識別部７へ搬送し（ステップＳ３）、識別部７によって紙幣２を読み取る（ステップＳ４）。このとき、識別部７によって紙幣２の金種、世代、および発行銀行等の種別情報が取得される。続けて、制御部３０は、識別部７によって複数の判定項目に基づいて紙幣２が正常であるか異常であるかを識別する（ステップＳ５）。ここで、例えば真紙幣であると判定する等のように、複数の判定項目の全てを満足したことにより紙幣２が正常であると識別すると（ステップＳ５：ＹＥＳ）、制御部３０は、紙幣２から取得した紙幣２の種別情報を前述の記憶部３１に記憶して（ステップＳ６）、紙幣２を返却口５に返却する（ステップＳ７）。一方、ステップＳ５で、例えば偽紙幣であると判定する等のように、複数の判定項目の少なくとも１つを満足しなかったことにより紙幣２が異常であると識別すると（ステップＳ５：ＮＯ）、制御部３０は、紙幣２の種別情報を記憶することなく、紙幣２を返却口５に返却する（ステップＳ７）。この後、入金口４に別の紙幣２が有ることを確認すると（ステップＳ８：ＹＥＳ）、制御部３０は、ステップＳ３へ移行して、上述したようにステップＳ３〜ステップＳ８の各処理を実行する。そして、ステップＳ８で、入金口４に別の紙幣２が無いことを確認すると（ステップＳ８：ＮＯ）、制御部３０は、設定処理を終了する。
【００２７】
図５は、上記図４の設定処理を終了した後の、記憶部３１の記憶内容の一例を示す図である。図５において、「Ｎｏ．」の欄には、紙幣２の種別情報を記憶した順番が書き込まれている。「紙幣種別」の欄には、各順番の紙幣２の種別情報として、金種（図５では「１０００」、「５０００」、「１００００」）、世代（図５では、「１」（第１世代））、および発行銀行（図５では、「Ｘ」（Ｘ銀行））が書き込まれている。「取り扱い方」の欄には、各順番の紙幣２の入金を許可することが書き込まれている。つまり、図５では、入金を許可する取り扱い対象の紙幣２として、３種類以上の紙幣２が設定された状態となっている。
【００２８】
図６は、設定された紙幣２の種別を消去する設定消去処理の手順を示すフローチャートである。本手順は、制御部３０が実行する。係員によってキー挿入部１１に設定キーが挿入された状態で、リセットボタン１６が押されると（ステップＳ１１：ＹＥＳ）、制御部３０は、「紙幣の種別設定を全消去？」のメッセージを表示部１７に表示する（ステップＳ１２）。そして、当該メッセージを見た係員によってリセットボタン１６が再度押されると（ステップＳ１３：ＹＥＳ）、制御部３０は、このとき記憶部３１に記憶されている紙幣２の種別設定、即ち図５に示した「Ｎｏ．」、「紙幣種別」および「取り扱い方」の記憶内容を全て消去する（ステップＳ１４）。消去後、制御部３０は、「全消去完了」のメッセージを表示部１７に所定時間表示して（ステップＳ１５）、設定消去処理を終了する。これにより、紙幣入出金機１には、入金を許可する取り扱い対象の紙幣２が設定されていない状態、即ち初期状態となる。
【００２９】
図７は、紙幣入出金機１で紙幣２の入金取引を行う取引処理の手順を示すフローチャートである。本手順は、制御部３０が実行する。なお、以下では、入金の取り扱い対象の紙幣２の種別が、図５に示したように設定されている状態とする。係員によって紙幣２が入金口４に投入された後、キー挿入部１１に設定キーが挿入されていない状態で、開始ボタン１２が押されると（ステップＳ２１：ＹＥＳ）、制御部３０は、入金口４に紙幣２が有るか否かを確認する（ステップＳ２２）。そして、紙幣２が有ることを確認すると（ステップＳ２２：ＹＥＳ）、制御部３０は、入金口４から紙幣２を一枚繰り出して識別部７へ搬送し（ステップＳ２３）、識別部７によって紙幣２を読み取る（ステップＳ２４）。続けて、制御部３０は、識別部７によって複数の判定項目に基づいて紙幣２が正常であるか異常であるかを識別する（ステップＳ２５）。ここで、例えば真紙幣であると判定する等のように、複数の判定項目の全てを満足したことにより紙幣２が正常であると識別すると（ステップＳ２５：ＹＥＳ）、制御部３０は、紙幣２を一時保留部９へ搬送して、ここに一時的に保留する（ステップＳ２６）。一方、ステップＳ２５で、例えば偽紙幣であると判定する等のように、複数の判定項目の少なくとも１つを満足しなかったことにより紙幣２が異常であると識別すると（ステップＳ２５：ＮＯ）、制御部３０は、紙幣２を返却口５へ搬送して返却する（ステップＳ２７）。
【００３０】
上記のように紙幣２を一時保留部９または返却口５に搬送すると、制御部３０は、入金口４に別の紙幣２が有るか否かを確認する（ステップＳ２８）。ここで、別の紙幣２が有ることを確認すると（ステップＳ２８：ＹＥＳ）、制御部３０は、ステップＳ２３へ移行して、上述したようにステップＳ２３〜ステップＳ２８の各処理を実行する。そして、ステップＳ２８で、入金口４に別の紙幣２が無いことを確認すると（ステップＳ２８：ＮＯ）、制御部３０は、一時保留部９に保留している紙幣２の総金額を操作部１０の表示部１７に表示する（ステップＳ２９）。この後、紙幣２の総金額を見た係員によって、紙幣２の入金を確定するために入金指示ボタン１４が押されると（ステップＳ３０：ＹＥＳ）、制御部３０は、一時保留部９から紙幣２を一枚繰り出して識別部７へ搬送し（ステップＳ３１）、識別部７によって紙幣２を読み取る（ステップＳ３２）。このとき、識別部７によって紙幣２の金種、世代、および発行銀行の種別情報が取得される。このため、制御部３０は、取得した紙幣２の種別情報と、記憶部３１に記憶している全ての紙幣２の種別情報とを比較して（ステップＳ３３）、一致しているか否かを判定する（ステップＳ３４）。ここで、取得した紙幣２の種別情報と、記憶部３１の紙幣２の種別情報とが一致すれば（ステップＳ３４：ＹＥＳ）、制御部３０は、紙幣２は入金を許可する対象の紙幣であると判断して、当該紙幣２を金種の対応する第１〜第３カートリッジ２１〜２３または運用カートリッジ２４に搬送して収納する（ステップＳ３５）。一方、取得した紙幣２の種別情報と、記憶部３１の紙幣２の種別情報とが一致しなければ（ステップＳ３４：ＮＯ）、制御部３０は、紙幣２は入金を禁止する対象の紙幣であると判断して、当該紙幣２を返却口５に搬送して返却する（ステップＳ３６）。
【００３１】
上記のように紙幣２をカートリッジ２１〜２４または返却口５に搬送すると、制御部３０は、一時保留部９に別の紙幣２が有るか否かを確認する（ステップＳ３７）。ここで、別の紙幣２が有ることを確認すると（ステップＳ３７：ＹＥＳ）、制御部３０は、ステップＳ３１へ移行して、上述したようにステップＳ３１〜ステップＳ３７の各処理を実行する。そして、ステップＳ３７で、一時保留部９に別の紙幣２が無いことを確認すると（ステップＳ３７：ＮＯ）、制御部３０は、取引処理を終了する。
【００３２】
上述した第１実施形態のようにすることで、図４の設定処理において、入金の取り扱い対象にしたい紙幣２を入金口４に投入することにより、当該紙幣２の種別情報が自動的に識別部７によって取得されて記憶部３１に記憶されるので、取り扱い対象にしたい紙幣２の数が多い場合や、各紙幣２の種別情報が多い場合や、複数台の紙幣入出金機１で異なる紙幣２の種別を設定する場合等であっても、取り扱い対象にしたい紙幣２の種別を正確に設定することができる。また、図７の取引処理において、投入された紙幣２の種別情報と、記憶部３１に設定した取り扱い対象の紙幣２の種別情報とが一致しているか否かを判定し、一致している場合に紙幣２をカートリッジ２１〜２４に収納し、一致していない場合に紙幣２を返却するので、投入された紙幣２のうち、設定した紙幣２の種別と同一の種別の紙幣２の入金を許可し、設定した紙幣２の種別と異なる種別の紙幣２の入金を禁止することができる。つまり、紙幣入出金機１の運用を所望の運用に変更・設定することが可能となる。
【００３３】
また、上記第１実施形態では、図４の設定処理において、識別部７によって取得した紙幣２の種別情報の中から、金種、世代、および発行銀行の３つの情報を特定して記憶部３１に記憶しているが、これらの少なくとも１つの情報を特定して記憶部３１に記憶するようにしてもよい。このようにしても、設定処理において、入金の取り扱い対象にしたい紙幣２の金種、世代、および発行元の少なくとも１つの種別情報を正確に設定することができ、取引処理において、投入された紙幣２のうち、設定した紙幣２の種別と同一の種別の紙幣２の入金を許可し、異なる種別の紙幣２の入金を禁止することができる。
【００３４】
図８〜図１０は、本発明の第２実施形態を示す図である。図８は、紙幣入出金機１への紙幣２の補充時に、リサイクル（再利用）の取り扱い対象となる紙幣２の種別を設定する設定処理の手順を示すフローチャートである。本手順は、制御部３０が実行する。また、本手順は、補充用の紙幣２が運用カートリッジ２４に装填されて紙幣入出金機１にセットされた場合を示している。なお、補充時に紙幣２の種別を設定するのは、係員が補充した紙幣２はその後の出金取引で出金してもよい紙幣、即ちリサイクルしてもよい紙幣だからである。このようにすることで、種別の設定のためだけにリサイクルの取り扱い対象にしたい紙幣２を銀行の本店等から取り寄せるといった、紙幣２の準備の手間を省くことができる。
【００３５】
係員によって補充用の紙幣２が装填された運用カートリッジ２４が紙幣入出金機１にセットされた後、キー挿入部１１に設定キーが挿入された状態で、開始ボタン１２が押されると（ステップＳ４１：ＹＥＳ）、制御部３０は、運用カートリッジ２４内に紙幣２が有るか否かを確認する（ステップＳ４２）。そして、紙幣２が有ることを確認すると（ステップＳ４２：ＹＥＳ）、制御部３０は、運用カートリッジ２４から紙幣２を一枚繰り出して識別部７へ搬送し（ステップＳ４３）、識別部７によって紙幣２を読み取る（ステップＳ４４）。このとき、識別部７によって紙幣２の金種、世代、および発行銀行等の種別情報が取得される。続けて、制御部３０は、識別部７によって複数の判定項目に基づいて紙幣２が正常であるか異常であるかを識別する（ステップＳ４５）。ここで、複数の判定項目の少なくとも１つを満足しなかったことにより紙幣２が異常であると識別すると（ステップＳ４５：ＮＯ）、制御部３０は、紙幣２を出金口６に搬送する（ステップＳ５２）。
【００３６】
一方、ステップＳ４５で、複数の判定項目の全てを満足したことにより紙幣２が正常であると識別すると（ステップＳ４５：ＹＥＳ）、制御部３０は、識別部７によって取得した紙幣２の種別情報と同一の種別情報を記憶部３１内で検索する（ステップＳ４６）。このとき、取得した紙幣２の種別情報と同一の種別情報が記憶部３１に記憶されていなければ（ステップＳ４７：ＮＯ）、制御部３０は、取得した紙幣２の種別情報を記憶部３１に記憶して（ステップＳ４８）、ステップＳ４９へ移行する。これに対して、取得した紙幣２の種別情報と同一の種別情報が記憶部３１に既に記憶されていれば（ステップＳ４７：ＹＥＳ）、制御部３０は、取得した紙幣２の種別情報を記憶することなく、ステップＳ４９へ移行する。これにより、同一の紙幣２の種別情報が記憶部３１に重複して記憶されなくなる。ステップＳ４９へ移行すると、制御部３０は、紙幣２が第１〜第３カートリッジ２１〜２３に対応する金種の紙幣であるか否かを判定する。ここで、紙幣２がカートリッジ２１〜２３に対応する金種の紙幣であれば（ステップＳ４９：ＹＥＳ）、制御部３０は、紙幣２を金種の対応する第１〜第３カートリッジ２１〜２３に搬送して収納する（ステップＳ５０）。これに対して、紙幣２が第１〜第３カートリッジ２１〜２３に対応する金種の紙幣でなければ（ステップＳ４９：ＮＯ）、制御部３０は、紙幣２を一時保留部９へ搬送して、ここに一時的に保留する（ステップＳ５１）。
【００３７】
上記のように紙幣２を出金口６、カートリッジ２１〜２３、または一時保留部９に搬送すると、制御部３０は、運用カートリッジ２４内に別の紙幣２が有るか否かを確認する（ステップＳ５３）。ここで、別の紙幣２が有ることを確認すると（ステップＳ５３：ＹＥＳ）、制御部３０は、ステップＳ４３へ移行して、上述したようにステップＳ４３〜ステップＳ５３の各処理を実行する。そして、ステップＳ５３で、運用カートリッジ２４内に別の紙幣２が無いことを確認すると（ステップＳ５３：ＮＯ）、制御部３０は、一時保留部９に紙幣２が有るか否かを確認する（ステップＳ５４）。ここで、一時保留部９に紙幣２が有れば（ステップＳ５４：ＹＥＳ）、制御部３０は、一時保留部９から紙幣２を順次繰り出して運用カートリッジ２４に搬送して戻す（ステップＳ５５）。そして、制御部３０は、出金口６に紙幣２が有るか否かを確認し（ステップＳ５６）、出金口６に紙幣２が有れば（ステップＳ５６：ＹＥＳ）、シャッタ６ａを開く（ステップＳ５７）。この後、係員によって出金口６から紙幣２が取り出されて、出金口６に紙幣２が無くなると（ステップＳ５８：ＮＯ）、制御部３０は、シャッタ６ａを閉じて（ステップＳ５９）、設定処理を終了する。
【００３８】
図９は、上記図８の設定処理を終了した後の、記憶部３１の記憶内容の一例を示す図である。図９において、「Ｎｏ．」の欄には、紙幣２の種別情報を記憶した順番が書き込まれている。「紙幣種別」の欄には、各順番の紙幣２の種別情報として、金種（図９では「１０００」、「５０００」、「１００００」）、および世代（図９では、「２」（第２世代））が書き込まれている。本実施形態では、制御部３０によって、紙幣２の種別情報として金種と世代が特定され、発行銀行が特定されなかったため、発行銀行は書き込まれていない。「取り扱い方」の欄には、各順番の紙幣２のリサイクルを許可すること、即ち入金した紙幣２の出金を許可することが書き込まれている。つまり、図９では、リサイクルを許可する取り扱い対象の紙幣２として、３種類以上の紙幣２が設定された状態となっている。
【００３９】
図１０は、紙幣入出金機１で紙幣２の入金取引を行う取引処理の手順を示すフローチャートである。本手順は、制御部３０が実行する。なお、以下では、リサイクルの取り扱い対象の紙幣の種別が、図９に示したように設定されている状態とする。図中、前述した図７の手順と同一ステップについては、同一符号を付してある。また、以下では、図７の手順と同一ステップについては、詳細な説明を省略し、異なるステップについて、詳細に説明する。
【００４０】
係員によって紙幣２が入金口４に投入された後、制御部３０は、前述した手順と同様にしてステップＳ２１〜ステップＳ２９の各処理を実行する。そして、ステップＳ３０で、入金指示ボタン１４が押されると（ステップＳ３０：ＹＥＳ）、制御部３０は、一時保留部９から紙幣２を一枚繰り出して識別部７へ搬送し（ステップＳ３１）、識別部７によって紙幣２を読み取る（ステップＳ３２ａ）。このとき、識別部７によって紙幣２の金種および世代の種別情報が取得される。このため、制御部３０は、取得した紙幣２の種別情報と、記憶部３１に記憶している全ての紙幣２の種別情報とを比較して（ステップＳ３３ａ）、一致しているか否かを判定する（ステップＳ３４ａ）。ここで、取得した紙幣２の種別情報と、記憶部３１の紙幣２の種別情報とが一致すると（ステップＳ３４ａ：ＹＥＳ）、制御部３０は、紙幣２はリサイクルを許可する対象の紙幣であると判断して、当該紙幣２を金種の対応する第１〜第３カートリッジ２１〜２３または運用カートリッジ２４に搬送して収納する（ステップＳ３５）。このように、紙幣２をカートリッジ２１〜２４に収納することで、当該紙幣２はその後の出金取引処理で出金されるようになる。一方、取得した紙幣２の種別情報と、記憶部３１の紙幣２の種別情報とが一致しなければ（ステップＳ３４ａ：ＮＯ）、制御部３０は、紙幣２はリサイクルを禁止する対象の紙幣であると判断して、当該紙幣２を回収カートリッジ２０に搬送して回収する（ステップＳ３６ａ）。このように、紙幣２を回収カートリッジ２０に回収することで、当該紙幣２はその後の出金取引処理で出金されなくなる。  上記のように紙幣２をカートリッジ２０〜２４のいずれかに搬送すると、制御部３０は、一時保留部９に別の紙幣２が有るか否かを確認する（ステップＳ３７）。ここで、別の紙幣２が有れば（ステップＳ３７：ＹＥＳ）、制御部３０は、ステップＳ３１へ移行して、上述したようにステップＳ３１〜ステップＳ３７の各処理を実行する。そして、ステップＳ３７で、一時保留部９に別の紙幣２が無いことを確認すると（ステップＳ３７：ＮＯ）、制御部３０は、取引処理を終了する。
【００４１】
上述した第２実施形態のようにすることで、図８の設定処理において、リサイクルの取り扱い対象にしたい紙幣２を運用カートリッジ２４を介して紙幣入出金機１にセットすることにより、当該紙幣２の種別情報が自動的に識別部７によって取得されて記憶部３１に記憶されるので、取り扱い対象にしたい紙幣２の種別を正確に設定することができる。また、図１０の取引処理において、投入された紙幣２の種別情報と、記憶部３１に設定した取り扱い対象の紙幣２の種別情報とが一致しているか否かを判定し、一致している場合に紙幣２をカートリッジ２１〜２４に収納し、一致していない場合に紙幣２を回収カートリッジ２０に回収するので、投入された紙幣２のうち、設定した紙幣２の種別と同一の種別の紙幣２をその後の出金取引で出金できるように、即ち当該紙幣２を再利用できるようにすることが可能となる。また、設定した紙幣２の種別と異なる種別の紙幣２をその後の出金取引で出金できないように、即ち当該紙幣２を再利用できないようにすることが可能となる。つまり、紙幣入出金機１の運用を所望の運用に変更・設定することが可能となる。
【００４２】
図１１〜図１５は、本発明の第３実施形態を示す図である。図１１は、本体３の上面に設けられた操作部１０ａの詳細を示す図である。なお、図２に示した操作部１０と同一部分については、同一符号を付してある。図１１において、４１〜４８は取り扱い対象にしたい紙幣２の種別と取り扱い方を設定するためのボタンである。４１は取り扱い方として入金を設定するための入金設定ボタン、４２は取り扱い方として出金を設定するための出金設定ボタン、４３は取り扱い方として入金または出金の許可を設定するための許可設定ボタン、４４は取り扱い方として入金または出金の禁止を設定するための禁止設定ボタンである。許可設定ボタン４３または禁止設定ボタン４４は、入金設定ボタン４１または出金設定ボタン４２が押された後にのみ有効になる。４５は紙幣２の種別情報として金種を特定するための金種特定ボタン、４６は紙幣２の種別情報として世代を特定するための世代特定ボタン、４７は紙幣２の種別情報として発行銀行を特定するための発行銀行特定ボタンである。設定ボタン４１〜４４および特定ボタン４５〜４７が押されると、当該ボタン４１〜４７に対応する入力内容が表示部１７に表示される。例えば、入金設定ボタン４１と許可設定ボタン４３とを押すと、紙幣２の取り扱い方として「入金許可」と表示部１７に表示される。また、金種特定ボタン４５と世代特定ボタン４６とを押すと、紙幣２の種別として「金種」、「世代」とそれぞれ表示部１７に表示される。４８は各ボタン４１〜４７による入力内容を実行するための実行ボタン、４９は各ボタン４１〜４７による入力内容を取り消すための取消ボタンである。設定ボタン４１〜４４は、本発明における設定手段の一実施形態を構成し、特定ボタン４５〜４７は、本発明における特定手段の一実施形態を構成する。
【００４３】
図１２は、紙幣入出金機１で取り扱い対象となる紙幣２の種別を設定する設定処理の手順を示すフローチャートである。本手順は、前述の制御部３０が実行する。図中、前述した図４の手順と同一ステップについては、同一符号を付してある。なお、以下では、図４の手順と同一ステップについては、詳細な説明を省略し、異なるステップについて、詳細に説明する。
【００４４】
係員によって取り扱い対象にしたい紙幣２が入金口４に投入された後、制御部３０は、前述した手順と同様にしてステップＳ１〜ステップＳ４の各処理を実行する。そして、ステップＳ５で、複数の判定項目の全てを満足したことにより紙幣２が正常であると識別すると（ステップＳ５：ＹＥＳ）、制御部３０は、「紙幣の設定入力待ち」のメッセージを表示部１７に表示する（ステップＳ６ａ）。これにより、表示部１７の上記メッセージを見た係員は、操作部１０ａのボタン４１〜４９を操作して、紙幣２の特定したい種別（金種、世代、および発行銀行の少なくとも１つ）と、紙幣２の取り扱い方を入力する。例えば、金種特定ボタン４５、入金設定ボタン４１、許可設定ボタン４３、出金設定ボタン４２、および禁止設定ボタン４４が順番に押された後に、実行ボタン４８が押されると、紙幣２の特定したい種別として、「金種」が入力され、紙幣２の取り扱い方として、「入金許可」および「出金禁止」が入力された状態となる。
【００４５】
上記のように操作部１０ａのボタン４１〜４９によって、紙幣２の特定したい種別と、紙幣２の取り扱い方とが入力されたことを確認すると（ステップＳ６ｂ：ＹＥＳ）、制御部３０は、識別部７によって取得した紙幣２の種別情報のうち、入力された種別情報を記憶部３１に記憶し（ステップＳ６ｃ）、記憶した種別情報に関連付けて、入力された紙幣２の取り扱い方を記憶部３１に記憶する（ステップＳ６ｄ）。この後、制御部３０は、紙幣２を返却口５に返却して（ステップＳ７）、入金口４に別の紙幣２が有るか否かを確認する（ステップＳ８）。ここで、入金口４に別の紙幣２が有ることを確認すると（ステップＳ８：ＹＥＳ）、制御部３０は、ステップＳ３へ移行して、上述したようにステップＳ３〜ステップＳ８の各処理を実行する。そして、ステップＳ８で、入金口４に別の紙幣２が無いことを確認すると（ステップＳ８：ＮＯ）、制御部３０は、設定処理を終了する。
【００４６】
次に、取り扱い対象の紙幣の種別情報と取り扱い方の設定の一例を、図１３および図１４を参照して説明する。図１３は、Ａ国、Ｂ国、およびＣ国の現存する紙幣の種別一覧表を示す図である。図１４は、Ａ国、Ｂ国、およびＣ国で紙幣入出金機１を使用するために、上記図１２の設定処理を行った後の、記憶部３１の記憶内容の一例を示す図である。図１３（ａ）に示すように、Ａ国では、金種が６種類あり、発行された世代が３世代あり、全部で１２種類の紙幣２が現存している。このようなＡ国で紙幣入出金機１を使用するには、取り扱い対象の紙幣２の種別情報として、金種と世代の少なくとも１つを設定し、所望の取り扱い方を設定すればよい。例えば、図１４（ａ）に示すように紙幣２の種別情報と取り扱い方とを設定すると、第１世代に発行された紙幣２は、金種「１」だけが入金と出金を許可され、それ以外の金種は入金と出金を禁止される。また、第２世代に発行された紙幣２は、全ての金種で入金と出金を許可される。さらに、第３世代に発行された紙幣２（金種「２０」のみ）は、入金を許可されるとともに出金を禁止される。
【００４７】
また、図１３（ｂ）に示すように、Ｂ国では、金種が８種類あり、発行元が３つの銀行であり、全部で１９種類の紙幣２が現存している。このようなＢ国で紙幣入出金機１を使用するには、取り扱い対象の紙幣２の種別情報として、金種と発行銀行の少なくとも１つを設定し、所望の取り扱い方を設定すればよい。例えば、図１４（ｂ）に示すように紙幣２の種別情報と取り扱い方とを設定すると、Ｘ銀行が発行した紙幣２は、全ての金種で入金と出金を許可される。また、Ｙ銀行が発行した紙幣２は、全ての金種で入金と出金を許可される。さらに、Ｚ銀行が発行した紙幣２は、金種「５０」だけが入金を許可されるとともに出金を禁止され、それ以外の金種は入金と出金を禁止される。
【００４８】
また、図１３（ｃ）に示すように、Ｃ国では、金種が複数種類あり、世代が３世代あり、発行元が４つの銀行であるというように、複数種類の紙幣２が現存している。このようなＣ国で紙幣入出金機１を使用するには、取り扱い対象の紙幣２の種別情報として、金種と世代と発行銀行の少なくとも１つを設定し、所望の取り扱い方を設定すればよい。例えば、図１４（ｃ）に示すように紙幣２の種別情報と取り扱い方とを設定すると、金種「ＭＭＭ」の紙幣２が、第１世代と第２世代に発行された紙幣２であれば、発行銀行に関係なく全て入金と出金を許可される。また、金種「ＭＭＭ」の紙幣２が、第３世代にＷ銀行から発行された紙幣２であれば、入金を許可されるとともに出金を禁止され、第３世代にＹ銀行から発行された紙幣２であれば、入金と出金を禁止される。
【００４９】
図１５は、紙幣入出金機１で紙幣２の入金取引を行う取引処理の手順を示すフローチャートである。本手順は、制御部３０が実行する。なお、以下では、取り扱い対象の紙幣の種別が、図１４（ａ）〜図１４（ｃ）のいずれかに示したように設定されている状態とする。図中、前述した図７の手順と同一ステップについては、同一符号を付してある。また、以下では、図７の手順と同一ステップについては、詳細な説明を省略し、異なるステップについて、詳細に説明する。
【００５０】
係員によって紙幣２が入金口４に投入された後、制御部３０は、前述した手順と同様にしてステップＳ２１〜ステップＳ２９の各処理を実行する。そして、ステップＳ３０で、入金指示ボタン１４が押されると（ステップＳ３０：ＹＥＳ）、制御部３０は、一時保留部９から紙幣２を一枚繰り出して識別部７へ搬送し（ステップＳ３１）、識別部７によって紙幣２を読み取る（ステップＳ３２）。このとき、識別部７によって紙幣２の金種、世代、および発行銀行の種別情報が取得される。このため、制御部３０は、取得した紙幣２の種別情報と、記憶部３１に記憶している全ての紙幣２の種別情報とを比較して（ステップＳ３３ｂ）、一致しているか否かを判定する（ステップＳ３４ｂ）。このとき、取得した紙幣２の種別情報を、例えば記憶部３１の世代だけ設定されている紙幣２の種別情報（図１４（ａ）の２番目の種別情報等）と比較するときは、両者の世代だけを比較して一致しているか否かを判定する。また、取得した紙幣２の種別情報を、例えば記憶部３１の金種、世代、および発行銀行が設定されている紙幣２の種別情報（図１４（ｃ）の３番目の種別情報等）と比較するときは、両者の金種、世代、および発行銀行のそれぞれを比較して一致しているか否かを判定する。
【００５１】
ステップＳ３４ｂで、取得した紙幣２の種別情報と、記憶部３１の紙幣２の種別情報とが一致しなければ（ステップＳ３４ｂ：ＮＯ）、制御部３０は、紙幣２は入金を禁止する対象の紙幣であると判断して、紙幣２を返却口５に搬送して返却する（ステップＳ３５ｂ）。これに対して、ステップＳ３４ｂで、取得した紙幣２の種別情報と、記憶部３１の紙幣２の種別情報とが一致すると（ステップＳ３４ｂ：ＹＥＳ）、制御部３０は、記憶部３１の紙幣２の種別情報に関連付けられている紙幣２の取り扱い方を読み込んで、当該取り扱い方に「入金許可」が設定されている否かを確認する（ステップＳ３４ｃ）。ここで、取り扱い方に「入金禁止」が設定されていると（ステップＳ３４ｃ：ＮＯ）、制御部３０は、紙幣２は入金を禁止する対象の紙幣であると判断して、紙幣２を返却口５に搬送して返却する（ステップＳ３５ｂ）。これに対して、ステップＳ３４ｃで、取り扱い方に「入金許可」が設定されていると（ステップＳ３４ｃ：ＹＥＳ）、制御部３０は、紙幣２は入金を許可する対象の紙幣であると判断し、続いて、取り扱い方に「出金許可」が設定されている否かを確認する（ステップＳ３４ｄ）。ここで、取り扱い方に「出金禁止」が設定されていると（ステップＳ３４ｄ：ＮＯ）、制御部３０は、紙幣２は出金（リサイクル）を禁止する対象の紙幣であると判断して、紙幣２を回収カートリッジ２０に搬送して回収する（ステップＳ３５ａ）。これに対して、ステップＳ３４ｄで、取り扱い方に「出金許可」が設定されていると（ステップＳ３４ｄ：ＹＥＳ）、制御部３０は、紙幣２は出金（リサイクル）を許可する対象の紙幣であると判断して、紙幣２を金種の対応する第１〜第３カートリッジ２１〜２３または運用カートリッジ２４に搬送して収納する（ステップＳ３５）。
【００５２】
上記のように紙幣２を返却口５、またはカートリッジ２０〜２４のいずれかに搬送すると、制御部３０は、一時保留部９に別の紙幣２が有るか否かを確認する（ステップＳ３７）。ここで、別の紙幣２が有ることを確認すると（ステップＳ３７：ＹＥＳ）、制御部３０は、ステップＳ３１へ移行して、上述したようにステップＳ３１〜ステップＳ３７の各処理を実行する。そして、ステップＳ３７で、一時保留部９に別の紙幣２が無いことを確認すると（ステップＳ３７：ＮＯ）、制御部３０は、取引処理を終了する。
【００５３】
上述した第３実施形態のようにすることで、図１２の設定処理において、取り扱い対象にしたい紙幣２を入金口４に投入することにより、当該紙幣２の金種、世代、および発行元の少なくとも１つの種別情報が、設定された取り扱い方と関連付けられて自動的に記憶部３１に記憶されるので、所望の取り扱いを行いたい紙幣２の種別を正確に設定することができる。また、図１５の取引処理において、投入された紙幣２の種別情報と、記憶部３１に設定した取り扱い対象の紙幣２の種別情報とが一致している場合に、関連付けられた取り扱い方で投入された紙幣２を取り扱うので、投入された紙幣２のうち、設定した紙幣２の種別と同一の種別の紙幣２に対して入金または出金の取り扱いを許可または禁止することができる。つまり、紙幣入出金機１の運用を所望の運用に変更・設定することが可能となる。
【００５４】
本発明は、以上述べた実施形態以外にも種々の形態を採用することができる。例えば、図４および図１２の設定処理では、取り扱い対象にしたい複数種類の紙幣２を一括して受け付けて、各紙幣２の種別情報を順次設定した例を挙げているが、本発明はこれのみに限定するものではない。これ以外に、取り扱い対象にしたい複数種類の紙幣２を一枚ずつ受け付けて、即ち当該紙幣２を１枚ずつ入金口４に投入して紙幣２の種別情報を設定するようにしてもよい。このようにすると、取り扱い対象にしたい紙幣２を一枚一枚確認しながら紙幣の種別情報を設定することができるので、取り扱い対象でない紙幣２の混入を確実に防止することができる。
【００５５】
また、上述した第１実施形態では、図６の設定消去処理において、設定キーが挿入された状態でリセットボタン１６が押された後に、記憶部３１に記憶している紙幣２の種別情報等を全て消去した例を挙げているが、本発明はこれのみに限定するものではない。これ以外に、例えば図４の設定処理において、設定キーが挿入された状態でリセットボタン１６が押された時に、記憶部３１の紙幣２の種別情報等を全て消去するようにしてもよい。また、第２実施形態や第３実施形態においても、図８および図１２の設定処理において、設定キーが挿入された状態でリセットボタン１６が押された時に、記憶部３１の紙幣２の種別情報等を全て消去するようにしてもよい。
【００５６】
また、以上述べた実施形態では、図４、図８、および図１２の設定処理で設定した取り扱い対象の紙幣２の種別情報を、紙幣２の入金取引処理において取引する紙幣２の種別情報と比較した例を挙げているが、本発明はこれのみに限定するものではない。これ以外に、例えば紙幣２の出金取引処理において、設定した取り扱い対象の紙幣２の種別情報を、取引する紙幣２の種別情報と比較して一致の有無を判定し、取引する紙幣２の出金を許可または禁止するようにしてもよい。また、例えば紙幣２の補充処理において、設定した取り扱い対象の紙幣２の種別情報を、補充用の紙幣２の種別情報と比較して一致の有無を判定し、補充用の紙幣２の金種別のカートリッジ２１〜２４への収納を許可または禁止するようにしてもよい。
【００５７】
さらに、以上述べた実施形態では、金融機関の窓口で係員が使用する紙幣入出金機１に、本発明を適用した例を挙げているが、本発明はこれ以外にも、例えば金融機関で顧客が利用する自動現金取引装置や、硬貨の入金または出金を行う硬貨入出金機等のような貨幣取引装置に適用することが可能である。
【図面の簡単な説明】
【００５８】
【図１Ａ】紙幣入出金機の内部構造を示す図である。
【図１Ｂ】紙幣入出金機の内部構造を示す図である。
【図１Ｃ】紙幣入出金機の内部構造を示す図である。
【図１Ｄ】紙幣入出金機の内部構造を示す図である。
【図２】紙幣入出金機の操作部の詳細を示す図である。
【図３】紙幣入出金機の電気的構成を示したブロック図である。
【図４】第１実施形態の設定処理の手順を示すフローチャートである。
【図５】第１実施形態の記憶部の記憶内容の一例を示す図である。
【図６】第１実施形態の設定消去処理の手順を示すフローチャートである。
【図７】第１実施形態の取引処理の手順を示すフローチャートである。
【図８】第２実施形態の設定処理の手順を示すフローチャートである。
【図９】第２実施形態の記憶部の記憶内容の一例を示す図である。
【図１０】第２実施形態の取引処理の手順を示すフローチャートである。
【図１１】第３実施形態の操作部の詳細を示す図である。
【図１２】第３実施形態の設定処理の手順を示すフローチャートである。
【図１３】第３実施形態の現存紙幣の種別一覧表を示す図である。
【図１４】第３実施形態の記憶部の記憶内容の一例を示す図である。
【図１５】第３実施形態の取引処理の手順を示すフローチャートである。
【符号の説明】
【００５９】
１      紙幣入出金機
２      紙幣
７      識別部
３０    制御部
３１    記憶部
２０    回収カートリッジ
２１    第１カートリッジ
２２    第２カートリッジ
２３    第３カートリッジ
２４    運用カートリッジ
４１    入金設定ボタン
４２    出金設定ボタン
４３    許可設定ボタン
４４    禁止設定ボタン
４５    金種設定ボタン
４６    世代設定ボタン
４７    発行銀行設定ボタン
【図１Ａ】
2005258737.tif 000003
【図１Ｂ】
2005258737.tif 000004
【図１Ｃ】
2005258737.tif 000005
【図１Ｄ】
2005258737.tif 000006
【図２】
2005258737.tif 000007
【図３】
2005258737.tif 000008
【図４】
2005258737.tif 000009
【図５】
2005258737.tif 000010
【図６】
2005258737.tif 000011
【図７】
2005258737.tif 000012
【図８】
2005258737.tif 000013
【図９】
2005258737.tif 000014
【図１０】
2005258737.tif 000015
【図１１】
2005258737.tif 000016
【図１２】
2005258737.tif 000017
【図１３】
2005258737.tif 000018
【図１４】
2005258737.tif 000019
【図１５】
2005258737.tif 000020